(57)【特許請求の範囲】
【請求項１】
領域群Ｂに含まれる各領域が領域群Ａに含まれるいずれかの領域に包含されるときのみ、前記領域群Ｂに含まれる領域を包含する領域群Ａに含まれる領域を有効領域であるとして、ｇｅｏｄｅｓｉｃ ｒｅｃｏｎｓｔｒｕｃｔｉｏｎ処理により実時間ビデオレートで抽出する画像の選択領域抽出装置において、
領域群Ａに含まれる各領域に対してラベリング処理を行い、各領域ごとにそれぞれ異なるラベルナンバーを所定の時間で付与し、ラベルナンバー付きマスク信号を生成して出力するマスク信号ラベリング処理部、
２値のマーカ信号の真値で他の領域と区別される領域群Ｂに含まれる各領域について、前記所定の時間を遅延させたマーカ信号とラベルナンバー付きマスク信号との積をとることにより、それぞれの領域を包含する領域群Ａの領域に付与されたラベルナンバーと同一のラベルナンバーを前記領域Ｂに含まれる各領域に付与し、ラベルナンバー付きマーカ信号を生成して出力するマーカ信号ラベリング処理部、および
ライトモード時には前記ラベルナンバー付きマーカ信号に付与されたラベルナンバーを入力アドレスとして、該入力アドレスに対応させた有効領域とする旨のデータをメモリに格納するとともに、リードモード時にはライトモード時に対して１フレーム分遅延させた前記ラベルナンバー付きマスク信号に付与されたラベルナンバーを入力アドレスとして、前記格納された有効領域の旨のデータを前記メモリから読み出すように制御し、マーカ信号ラベリング処理部によって領域群Ｂに含まれる各領域に付与されたラベルナンバーと同一のラベルナンバーを有する領域群Ａの領域を示す領域情報のみを有効領域として選択するように、前記ライトモード及び前記リードモードをフレーム毎に切り替え、前記メモリを一対のメモリとして構成させて実時間ビデオレートで前記有効領域の位置情報を選択領域情報として出力するラベルナンバー付きマスク領域選択部を少なくとも具えてなることを特徴とする画像の選択領域抽出装置。
【発明の詳細な説明】
【０００１】
【発明の属する技術分野】
本発明は画像信号処理装置に係り、特に、２次元画像の地形的な距離に基づいてマスク領域の一部の部分集合を除去しながら、残りの部分集合を元の部分集合の形を変えることなく復元するという画像構成処理手法であるｇｅｏｄｅｓｉｃｒｅｃｏｎｓｔｒｕｃｔｉｏｎ処理を実時間ビデオレートで実現した画像の選択領域抽出装置に関する。
【０００２】
【従来の技術】
まず、周知のｇｅｏｄｅｓｉｃ  ｒｅｃｏｎｓｔｒｕｃｔｉｏｎ処理について図６を参照して説明する。
ここに、ＷｉとＮｊの集合群（それぞれ部分集合）があり、それぞれの全体集合をＷ、Ｎで表すものとする。ＷとＮの包含関係はＷ⊃Ｎであるが、それぞれの部分集合Ｗｉ、Ｎｊについては、必ずしもＮｋがＷｋの部分集合に含まれているとは限らない。このような状態で、ＮをＷのもとでｇｅｏｄｅｓｉｃ  ｒｅｃｏｎｓｔｒｕｃｔｉｏｎ処理するということは、Ｎの部分集合であるＮｊを含むＷの部分集合のみを出力することを言う。図６の場合、Ｎの部分集合であるＮ１とＮ２を含むＷの部分集合Ｗ１とＷ４がそれぞれＮ１’とＮ２’として出力されている。ｇｅｏｄｅｓｉｃ  ｒｅｃｏｎｓｔｒｕｃｔｉｏｎ処理に関し、例えばＬ．Ｖｉｎｃｅｎｔ，“Ｍｏｒｐｈｏｌｏｇｉｃａｌ  Ｇｒａｙｓｃａｌｅ  Ｒｅｃｏｎｓｔｒｕｃｔｉｏｎ  ｉｎ  Ｉｍａｇｅ  Ａｎａｌｙｓｉｓ：Ａｐｐｌｉｃａｔｉｏｎｓ  ａｎｄ  Ｅｆｆｉｃｉｅｎｔ  Ａｌｇｏｒｉｔｈｍｓ”，ＩＥＥＥ  Ｔｒａｎｓ．ｏｎ  Ｉｍａｇｅ  Ｐｒｏｃｅｓｓｉｎｇ，Ｖｏｌ．２，Ｎｏ．２，Ａｐｒｉｌ  １９９３などを参照されたい。
【０００３】
また従来より、ｇｅｏｄｅｓｉｃ  ｒｅｃｏｎｓｔｒｕｃｔｉｏｎ処理においては領域Ｗをマスク領域、領域Ｎをマーカ領域と言い、２次元位置（ｘ，ｙ）のマスク信号およびマーカ信号に対して、“０”と“１”からなる２値信号を対応させ、それぞれ領域を“１”、領域外を“０”として、それぞれの領域を２次元画像平面上で“０”と“１”で表されるバイナリ領域信号で表現している。
【０００４】
ｇｅｏｄｅｓｉｃ  ｒｅｃｏｎｓｔｒｕｃｔｉｏｎ処理に関する従来の技術としては、マーカ領域（領域Ｎ）を出発点として、このマーカ領域を含んだマスク領域（領域Ｗ）の範囲まで領域を拡張していくシーケンシャル処理が一般的である。ここで、代表的な処理の手順を以下に示す。
１）マーカ領域の境界部分の画素の水平、垂直方向の位置情報をすべてＦＩＦＯ型アドレスメモリに書き込む。
２）ＦＩＦＯ型アドレスメモリから１つだけ位置情報を読み出し、その近傍に位置する画素がマスク領域に含まれる場合のみ、その位置に存在する画素を有効マスク領域とする。
３）有効マスク領域と判断された画素の位置情報だけをＦＩＦＯ型アドレスメモリに書き込む。
４）ＦＩＦＯ型アドレスメモリが空になるまで、２）、３）の処理を繰り返す。
【０００５】
以上の手順をハードウェアによって行うものとすると、その構成は図７に示されるものとなる。
まず、マーカ領域の境界部分の画素の水平および垂直方向の位置情報をすべてＦＩＦＯ型アドレスメモリに書き込む（上記手順中、処理１））。この書き込み処理は次によって行われる。
【０００６】
すなわち、マーカ信号、マスク信号は、それぞれ１および２にて示されるランダムアクセス可能な入力フレームメモリ１および入力フレームメモリ２に供給される。マーカ信号については、また、出力フレームメモリ３にも供給され、出力フレームメモリ３の該当位置に領域情報として書き込まれる。さらに、位置情報検出部４では、この検出部４に供給されたマーカ信号からマーカ領域（領域Ｎ）の領域境界が検出され、その水平方向、垂直方向の各位置情報がＦＩＦＯ型アドレスメモリ５に供給されて書き込まれる。
【０００７】
次に、上記手順中、処理２）から４）までの回路動作をまとめて説明する。
ＦＩＦＯ型アドレスメモリから１つだけ水平、垂直方向の位置情報を読み出し、次段の近傍アドレス検出部６で、読み出された水平、垂直位置の近傍の位置情報を水平および／または垂直アドレスを±１して計算する。近傍アドレス検出部６で計算された水平、垂直方向の位置情報は、それぞれ１，２で示されるマーカ信号が供給される入力フレームメモリ１、マスク信号が入力される入力フレームメモリ２のアドレス信号となり、それら入力フレームメモリ１，２から近傍アドレス検出部６で計算された水平、垂直方向位置でのマーカ領域、マスク領域の状態がそれぞれ読み出される。これら情報はアドレス信号とともに次段の論理判断処理部７に供給される。
【０００８】
この論理判断処理部７は、供給された水平、垂直方向位置でのマーカ領域、マスク領域の状態について論理判断を行う部分であり、通常ＣＰＵで構成される。論理判断処理部７では、次の３つの処理を行う。すなわち、
・近傍アドレス検出部６で計算された水平、垂直方向位置がマスク領域に含まれていて、かつマーカ領域に含まれていない場合、その位置を有効領域と判断し、出力フレームメモリ３の該当位置にその領域情報を書込む。
・近傍アドレス検出部６で計算された水平、垂直方向位置がマスク領域に含まれていて、かつマーカ領域に含まれていない場合、その位置情報をＦＩＦＯ型アドレスメモリ５に書き込む。
・ＦＩＦＯ型アドレスメモリ５が、空になったという破線にて示す空情報を受信した場合、出力フレームメモリ３の出力制御（破線で示す）を有効にし（スイッチＳＷをオンにする）、出力フレームメモリ３の内容を読み出して選択領域信号として出力する。
【０００９】
【発明が解決しようとする課題】
マスク領域の一部の部分集合を除去しながら、残りの部分集合をもとの部分集合の形を変えることなく復元するｇｅｏｄｅｓｉｃ  ｒｅｃｏｎｓｔｒｕｃｔｉｏｎ処理を上述した従来の回路構成ないし装置で行った場合、それをテレビジョン信号（一般には、ビデオ信号）の実時間ビデオレートで実現するためには、フレームごとの信号処理を一律１／３０秒以内で行えばよいが、論理判断処理部を構成するＣＰＵの処理速度の制限からビデオ信号の画像内容によっては１／３０秒以内での処理を行うことは難しい。
【００１０】
この問題の解決方法として、時間方向でのパラレル処理を導入することが考えられるが、やはり実時間ビデオレートで処理を終了することは難しい。なぜならば、マスク領域、マーカ領域の形状、大きさによって処理時間が異なるため、パラレル処理に必要なバッファサイズが一定しないからである。
【００１１】
本発明の目的は、ｇｅｏｄｅｓｉｃ  ｒｅｃｏｎｓｔｒｕｃｔｉｏｎ処理を行うにあたって、上述したようにマスク領域、マーカ領域の形状、大きさに起因して実時間ビデオレート処理ができないという上述した問題を解決するために、適切に構成配置した画像の選択領域抽出装置を提供することにある。
【００１２】
【課題を解決するための手段】
上記目的を達成するために、本発明画像の選択領域抽出装置においては、マスク領域に対してマスク領域ごとに異なるラベルナンバーを付与（ラベルナンバーの付与自体は、例えばＣ．Ｊ．Ｎｉｃｏｌ，“Ａ  Ｓｙｓｔｏｌｉｃ  Ａｐｐｒｏａｃｈ  ｆｏｒ  Ｒｅａｌ  Ｔｉｍｅ  Ｃｏｎｎｅｃｔｅｄ  Ｃｏｍｐｏｎｅｎｔ  Ｌａｂｅｌｉｎｇ”，Ｃｏｍｐｕｔｅｒ  Ｖｉｓｉｏｎ  Ａｎｄ  Ｉｍａｇｅ  Ｕｎｄｅｒｓｔａｎｄｉｎｇ，Ｖｏｌ．６１，Ｎｏ．１，Ｊａｎｕａｒｙ，ｐｐ．１７−３１，１９９５に記載の方法によって実現する。）し、さらにマスク領域に含まれるマーカ領域に対してもマスク領域に付与したのと同一のラベルナンバーを付与し、その後、マーカ領域に付与したラベルナンバーと等しいラベルナンバーを有するマスク領域だけを選択領域として出力することにより、マーカ領域を含むマスク領域だけを選択出力するｇｅｏｄｅｓｉｃ  ｒｅｃｏｎｓｔｒｕｃｔｉｏｎ処理を実時間ビデオレートにて実現した。
【００１３】
すなわち、本発明画像の選択領域抽出装置は、領域群Ｂに含まれる各領域が領域群Ａに含まれるいずれかの領域に包含されるときのみ、前記領域群Ｂに含まれる領域を包含する領域群Ａに含まれる領域を有効領域であるとして、ｇｅｏｄｅｓｉｃ ｒｅｃｏｎｓｔｒｕｃｔｉｏｎ処理により実時間ビデオレートで抽出する画像の選択領域抽出装置において、領域群Ａに含まれる各領域に対してラベリング処理を行い、各領域ごとにそれぞれ異なるラベルナンバーを所定の時間で付与し、ラベルナンバー付きマスク信号を生成して出力するマスク信号ラベリング処理部、２値のマーカ信号の真値で他の領域と区別される領域群Ｂに含まれる各領域について、前記所定の時間を遅延させたマーカ信号とラベルナンバー付きマスク信号との積をとることにより、それぞれの領域を包含する領域群Ａの領域に付与されたラベルナンバーと同一のラベルナンバーを前記領域Ｂに含まれる各領域に付与し、ラベルナンバー付きマーカ信号を生成して出力するマーカ信号ラベリング処理部、およびライトモード時には前記ラベルナンバー付きマーカ信号に付与されたラベルナンバーを入力アドレスとして、該入力アドレスに対応させた有効領域とする旨のデータをメモリに格納するとともに、リードモード時にはライトモード時に対して１フレーム分遅延させた前記ラベルナンバー付きマスク信号に付与されたラベルナンバーを入力アドレスとして、前記格納された有効領域の旨のデータを前記メモリから読み出すように制御し、マーカ信号ラベリング処理部によって領域群Ｂに含まれる各領域に付与されたラベルナンバーと同一のラベルナンバーを有する領域群Ａの領域を示す領域情報のみを有効領域として選択するように、前記ライトモード及び前記リードモードをフレーム毎に切り替え、前記メモリを一対のメモリとして構成させて実時間ビデオレートで前記有効領域の位置情報を選択領域情報として出力するラベルナンバー付きマスク領域選択部を少なくとも具えてなることを特徴とするものである。
【００１４】
【発明の実施の形態】
以下に添付図面を参照し、発明の実施の形態に基づいて本発明を詳細に説明する。
本発明は、上述したように、ｇｅｏｄｅｓｉｃ  ｒｅｃｏｎｓｔｒｕｃｔｉｏｎ処理を従来の回路構成で行った場合、実時間ビデオレートではできないという問題を解決するために、ラベリング処理用回路やランダムアクセスメモリＲＡＭを用いることにより、マスク領域、マーカ領域の形状、大きさに依存することなく、有効マスク領域を実時間ビデオレートで検出するようにしたものである。
【００１５】
図面を参照して本発明の実施の形態の説明に入る前に、本出願明細書の特許請求の範囲において本発明を特徴づけている３つの構成要件ごとの動作を説明すれば、それぞれ次のようになる。
【００１６】
まず、第１の要件である、領域群Ａに含まれる各領域に対してラベリング処理を行い、各領域ごとにそれぞれ異なるラベルナンバーを付与するマスク信号ラベリング処理部では、領域群Ａに含まれる各マスク領域ごとに異なるラベルナンバーを付与してラベルナンバー付きマスク信号を得るためにラベリング処理を行う。ラベリング処理回路は上述の文献等に従って容易に実現可能である。簡単に説明すれば、複数に領域分割された画像信号に対し、領域ごとに異なるナンバーを割り付け、領域を示す２値データの“１”に代わり、１つの領域内に含まれる全ての画素に同一の領域ナンバーを付与する処理を行う。
【００１７】
次に、領域群Ｂに含まれる各領域に対し、それぞれの領域を包含する領域群Ａの領域に付与されたのと同一のラベルナンバーを付与するマーカ信号ラベリング処理部で行う処理は、マーカ信号とラベルナンバー付きマスク信号の積をとることにより実現する。マーカ信号は領域部分が“１”、バックグラウンド部分が“０”の２値信号であり、マーカ信号として“１”が付与された領域はマスク信号として“１”が付与された領域に包含される関係にある。マーカ信号は“１”と“０”の２値信号なので、マーカ信号とラベルナンバー付きマスク信号の積をとると、マーカ領域を示す“１”の部分の全ての画素のマーカ信号が、それらマーカ信号を包含するマスク信号領域に付与されたラベルナンバーに置き換わる。
【００１８】
最後の要件である、マーカ信号ラベリング処理部によって領域群Ｂに含まれる各領域に付与されたラベルナンバーと同一のラベルナンバーを有する領域群Ａの領域で示す領域情報だけを選択領域情報として出力するラベルナンバー付きマスク領域選択部では、ラベルナンバー付きマーカ信号に付与されたラベルナンバーと同一のラベルナンバーを有するラベルナンバー付きマスク信号の領域情報を選択領域として出力する。この処理は、２個のＲＡＭをフレーム単位でライトモード、リードモードと交互に切り替えて使うことにより実現する。ライトモード時に、ラベルナンバー付きマーカ信号に付与されたラベルナンバーをＲＡＭの入力アドレスとし、そのアドレスに対応するデータとして、そのアドレスが有効領域であることを書き込む。そして、リードモード時には１フレーム遅延させたマスク信号に付与されたラベルナンバーをアドレスとしてＲＡＭに書き込まれた内容を読み出し、アドレスに対応するデータに有効領域情報として書き込まれているラベルナンバーをもつマスク領域の位置情報だけを出力することにより、マーカ領域を含むマスク領域だけの選択を実時間ビデオレートで行うことが可能になる。
【００１９】
以下に、図１から図５にかけて示される実施の形態に基づいて、本発明を詳細に説明する。
図１（ａ）は、マスク領域の一例、図１（ｂ）は、マーカ領域の一例をそれぞれ示している。ここで、図１（ａ）で示されるマスク領域にラベリング処理を施すと図２（ａ）に示すようになる。図２（ａ）ではバックグラウンド領域に＃０を、各マスク領域に相互に異なるラベルナンバーの＃１〜＃４を割り振っている。
【００２０】
図２（ａ）に示される領域から、図１（ｂ）のマーカ信号が存在する領域のみを切り出すと図２（ｂ）に示すようにラベルナンバーが付されたマーカ領域になる。次に、図２（ａ）の各マスク領域の中から、図２（ｂ）のラベルナンバー付きマーカ信号と同一のラベルナンバーが付されたマスク領域のみを選択することにより、図２（ｃ）に示される本発明の目的とする選択されたマスク領域が抽出されることになる。
【００２１】
本発明の原理的な動作は以上のとおりであるが、つぎに、この動作原理に基づいて画像の選択領域を抽出する本発明による画像の選択領域抽出装置について説明する。
図３は、本発明装置の原理的構成をブロック図にて示している。
図３において、８はマスク信号ラベリング処理部、９はマーカ信号遅延部、１０はマーカ信号ラベリング処理部、および１１はラベルナンバー付きマスク領域選択部である。
【００２２】
動作につき説明する。
図３に示すように、マスク信号（１ビット）はマスク信号ラベリング処理部８に供給され、マスク領域の各画素にラベルナンバーが付与される（図２（ａ）参照）。このラベルナンバーの付与は、例えば、上述したＣ．Ｊ．Ｎｉｃｏｌの文献記載の方法によって行われる。
【００２３】
一方、マーカ信号（１ビット）は、マスク信号がマスク信号ラベリング処理部８でラベルナンバー付与に要した時間だけマーカ信号を遅らせるためのマーカ信号遅延部９に供給され、その出力がマーカ信号ラベリング処理部１０の一方の入力端子に供給される。このマーカ信号ラベリング処理部１０の他方の入力端子には、図示のようにマスク信号ラベリング処理部８でラベルナンバーが付与されたマスク信号が供給され、マーカ信号ラベリング処理部１０の出力端子からは、マーカ信号が“１”である領域（マーカ領域であることを示す）の各画素に、その領域を含むマスク領域に付けられたラベルナンバーと同一のラベルナンバーが付され（図２（ｂ）参照）て出力される。
【００２４】
マーカ信号ラベリング処理部１０は、マーカ信号遅延部９で所定時間遅延されたマーカ信号（１ビット）と、マスク信号ラベリング処理部８でラベルナンバーが付与されたマスク信号（ｎビット）との両者の積をとる信号処理部であり、例えば、図４に示すような複数のＡＮＤ回路をもって構成される。
【００２５】
なお、上記両信号をこの図４に示す回路に通すことにより、マーカ領域でないところでは常にバックグラウンドのラベルナンバーと同一の＃０が、マーカ領域では、そのマーカ領域を包含するマスク領域に付与されたラベルナンバーと同一のラベルナンバーが出力されることになる。
【００２６】
図５は、図３中に示すラベルナンバー付きマスク領域選択部１１の一例の回路構成を示している。
この回路は、基本的にランダムアクセスメモリを２個（図中、ＲＡＭ（Ｉ）１６、ＲＡＭ（II）１７としてそれぞれ示す）使用し、それぞれＲＡＭ（Ｉ）１６、ＲＡＭ（II）１７の書き込みモードと読み出しモードをセレクタ（Ｉ）１３、セレクタ（II）１４によってフレーム単位で切り替えることにより選択領域の抽出を実現している。
【００２７】
図５において、ＲＡＭ（Ｉ）１６およびＲＡＭ（II）１７に、図に示す位相関係を有する２フレーム周期のリード信号Ｒ、ライト信号Ｗが制御信号として供給され、ＲＡＭ（Ｉ）１６およびＲＡＭ（II）１７のそれぞれがフレームごとに相反的にライトモードとリードモードを繰り返す。
【００２８】
まず、ライトモードの動作を説明する。
セレクタ（Ｉ）１３または（II）１４によって、それぞれＲＡＭ（Ｉ）１６または（II）１７のアドレス入力として制御信号（リード信号、ライト信号）に同期した画素位置に対応するラベルナンバー付きマーカ信号が選択され、そのアドレスに対応するデータ入力として、アドレスが有効領域（つまり、マーカ信号の領域）であるというアドレス有効データＲＯＭ１５からの出力信号が供給され書き込まれる。アドレス有効データＲＯＭ１５の出力信号は、例えば、マーカ信号が領域外、すなわち“０”のとき“０”として、マーカ信号の領域であるとき、それらがどのラベルナンバーであっても出力信号をすべて“１”とするようにしてもよい。このとき、アドレス有効データＲＯＭ１５の出力は１ビット（図示では、ｎ’ビット）になる。
【００２９】
次に、リードモードの動作を説明する。
セレクタ（Ｉ）１３または（II）１４に前置して配置された１フレーム遅延器１２により１フレーム遅延されたラベルナンバー付きマスク信号が、ＲＡＭ（Ｉ）１６または（II）１７のアドレス入力となり、そのアドレスに対応して１フレーム前のライトモード時に書き込まれたデータが、制御信号（リード信号、ライト信号）に同期した画素位置に対応した領域情報として読み出される。その結果、ラベルナンバー付きマーカ信号と同一のラベルナンバーを有する、ラベルナンバー付きマスク信号のみがＲＡＭ（Ｉ）１６または（II）１７から読み出されることになる。この読み出された信号は、本発明で抽出することを目的としている選択領域情報を表わす信号にほかならない。
【００３０】
【発明の効果】
本発明画像の選択領域抽出装置によれば、複数のマスク領域のうち、マーカ領域を含んでいるマスク領域のみをｇｅｏｄｅｓｉｃ  ｒｅｃｏｎｓｔｒｕｃｔｉｏｎ処理により実時間ビデオレートで選択的に抽出することが可能になる。
【００３１】
また、本発明装置によれば、本発明装置を適用することにより、本願人の出願に係る特願平９−２０８４１４号「画像の領域分割処理用ラベルマーカ生成装置および画像の領域分割処理装置」（平成９年７月１８日出願）の出願明細書にて開示された、テレビジョンのフィールドスポーツ番組において選手部分を含まない競技フィールド部分のみを検出する技術を一層改善して、より安定に実時間ビデオレートで実現することができるようになる。
【図面の簡単な説明】
【図１】（ａ）および（ｂ）に、マスク領域の一例およびマーカ領域の一例をそれぞれ示している。
【図２】（ａ），（ｂ）および（ｃ）に、ラベリング処理が施されたマスク領域、マーカ領域、および本発明により最終的に抽出されるラベリング処理が施されたマーカ領域と同一のラベルナンバーが付されたマスク領域をそれぞれ示している。
【図３】本発明の原理的構成をブロック図にて示している。
【図４】図３中のマーカ信号ラベリング処理部の一例の回路構成を示している。
【図５】図３中のラベルナンバー付マスク領域選択部の一例の回路構成を示している。
【図６】ｇｅｏｄｅｓｉｃ  ｒｅｃｏｎｓｔｒｕｃｔｉｏｎ処理を説明する図である。
【図７】ｇｅｏｄｅｓｉｃ  ｒｅｃｏｎｓｔｒｕｃｔｉｏｎ処理をハードウェアによって行う従来の回路構成を示している。
【符号の説明】
８  マスク信号ラベリング処理部
９  マーカ信号遅延部
１０  マーカ信号ラベリング処理部
１１  ラベルナンバー付きマスク領域選択部
１２  １フレーム遅延器
１３  セレクタ（Ｉ）
１４  セレクタ（II）
１５  アドレス有効データＲＯＭ
１６  ＲＡＭ（Ｉ）
１７  ＲＡＭ（II）
【図１】
0004063404.tif 000002
【図２】
0004063404.tif 000003
【図３】
0004063404.tif 000004
【図４】
0004063404.tif 000005
【図５】
0004063404.tif 000006
【図６】
0004063404.tif 000007
【図７】
0004063404.tif 000008